(57)【要約】【課題】本発明は絵筆クリーニング装置を開示した。【解決手段】筆筒を含み、前記筆筒の頂部の中にはクリーニング空間が設置され、前記クリーニング空間の左側にある前期筆筒の中にはサムホイール空間が設置され、前記サムホイール空間の底壁には左側スライドブロック空間が設置され、前記左側スライドブロック空間と前記サムホイール空間との中には旋転筆挟み機構が設置され、前記クリーニング空間と前記サムホイール空間との間にはカム空間が連通し設置され、前記クリーニング空間の右側端壁には挟み乾かし右空間が設置され、本装置は自動の機械によるクリーニングを実現でき、手動クリーニングする時に顔料が飛び散ることを回避でき、クリーニングする人の服が汚れないように保証でき、且つ本装置はクリーニング完了した後に自動的に絵筆をクリーニング空間から持ち出すことができ、絵筆をサポート板に掛け、次回の使用に便利である。【選択図】図１
2020175634.tif 000002
【特許請求の範囲】
【請求項１】
筆筒を含み、前記筆筒の頂部の中にはクリーニング空間が設置され、前記クリーニング空間の左側にある前期筆筒の中にはサムホイール空間が設置され、前記サムホイール空間の底壁には左側スライドブロック空間が設置され、前記左側スライドブロック空間と前記サムホイール空間との中には旋転筆挟み機構が設置され、前記クリーニング空間と前記サムホイール空間との間にはカム空間が連通し設置され、前記クリーニング空間の右側端壁には挟み乾かし右空間が設置され、前記カム空間と前記挟み乾かし右空間との間には筆乾燥機構が設置され、前記カム空間の底部にある前記筆筒の中には右側スライドブロック空間が設置され、前記右側スライドブロック空間の底部にある前記筆筒の中には伝動空間が設置され、前記伝動空間と前記クリーニング空間との間にはクリーニング機構が設置され、前記伝動空間の底部にある前記筆筒の中には底部中空間が設置され、前記底部中空間の左側にある前期筆筒の中には底部左空間が設置され、前記底部中空間の右側にある前記筆筒の中には底部右空間が設置され、前記底部左空間と前記底部右空間との間には動力機構が設置され、前記クリーニング空間の右側端壁のうち上方に接近する位置には昇降空間が設置され、前記昇降空間の中には昇降空間機構が設置され、前記クリーニング空間の後側には水出入り口が設置され、前記旋転筆挟み機構は前記サムホイール空間の頂壁の中に回転できるように設置される旋転軸を含み、前記旋転軸の底端には溝車が固定的に設置され、前記溝車の底端には回し溝が設置され、前記旋転軸の頂端には旋転ブロックが固定的に設置され、前記旋転ブロックの左右両側にはサポート板が対称になるように設置され、左側にある前記サポート板を例とし、前記サポート板の底端には挟み空間が設置され、前記挟み空間の左右両側の端壁にはブロック挟みスライド空間が設置され、前記ブロック挟みスライド空間の中には挟みブロックがスライドできるように設置され、前記挟みブロックと前記ブロック挟みスライド空間の左側端壁との間には治具ばねが弾性的にに連結され、前記サムホイール空間の底壁には左側スライドブロック空間が設置され、前記左側スライドブロックの中には左側スライドブロックがスライドできるように設置され、前記左側スライドブロックの中には左側スプラインスリーブが回転できるように設置され、前記左側スプラインスリーブの頂端にはサムホイールが固定的に設置され、前記左側スプラインスリーブの中には左側回転軸がスプラインによって嵌合連結され、前記左側回転軸の底端には第一傘歯車が設置され、前記左側スライドブロック空間の右側端壁には左側リール空間が設置され、前記左側リール空間の中には前記左側スライドブロックと噛み合って設置される左側糸巻きギヤが回転できるように設置され、前記左側糸巻きギヤの後側には小モーターが動力が伝達できるように連結されることを特徴とする絵筆クリーニング装置。
【請求項２】
前記筆乾燥機構は前記右側スライドブロック空間の中にスライドできるように設置される右側スライドブロックを含み、前記右側スライドブロックの中には右側スプラインスリーブが回転できるように設置され、前記右側スプラインスリーブの底端には右側回転ホイールが固定的に設置され、前記右側回転ホイールの底端には回転ホイール溝が設置され、前記右側スライドブロック空間の左側端壁には右側リール空間が設置され、前記右側リール空間の中には右側リールが回転できるように設置され、前記右側リールと前記左側糸巻きギヤとの間は縄により動力が伝達できるように連結され、前記右側スプラインスリーブの中には右側スプライン軸がスプラインによって嵌合連結され、前記右側スプライン軸の頂端が前記カム空間の中に挿入され、前記右側スプライン軸の末端にはカムが固定的に設置され、前記カムの左側にある前記カム空間の中にはプッシュ板がスライドできるように設置され、前記プッシュ板の左側端面と前記カム空間の左側端壁との間にはプッシュ板ばねが弾性的に連結され、前記プッシュ板の右側端面には前後対称になるように設置される左側ヒンジ連結ロッドがヒンジで連結され、前記挟み乾かし右空間の中には前後対称になるように設置される右側ヒンジ連結ロッドがヒンジで連結され、前記右側ヒンジ連結ロッドと前記左側ヒンジ連結ロッドとがヒンジで連結され、前記左側ヒンジ連結ロッドと前記右側ヒンジ連結ロッドとの上にはいずれも小スライドブロックがスライドできるように設置され、前記小スライドブロックの前端にはいずれも連接棒がヒンジで連結され、前記連接棒の前端にはいずれも挟み乾かし板がヒンジで連結され、前記挟み乾かし板が前後対称になるように設置され、前後対称の前記挟み乾かし板はクリーニングされた筆を挟んで乾かすことができ、水分を取り除くことを特徴とする請求項１に記載の絵筆クリーニング装置。
【請求項３】
前記クリーニング機構は前記伝動空間の中に回転できるように設置される方向切換軸を含み、前記方向切換軸の頂端が前記右側スライドブロック空間の中に挿入され、且つ前記方向切換軸の末端には右側回転ブロックが固定的に設置され、前記右側回転ブロックと前記回転ホイール溝とが対向するように設置され、前記伝動空間の中に位置する前記方向切換軸の外壁には扇状ギヤが円周方向になるように固定的に設置され、前記方向切換軸の底端には前記底部中空間の中に位置する第ニ傘歯車が固定的に設置され、前記伝動空間の右側端壁の中には左右に伸びているクリーニング軸が回転できる設置され、前記クリーニング軸の右側の延伸部分が前記クリーニング空間の中に挿入され、前記クリーニング空間の中に位置する前記クリーニング軸の外壁にはクリーニング軸スリーブが円周方向に固定的に設置され、前記クリーニング軸スリーブの頂部外壁にはブラシが固定的に設置され、前記クリーニング軸の左側末端には前記伝動空間の中に位置する扇状ギヤが固定的に設置され、前記扇状ギヤの右側端とねじりばねとが固定的に連結され、前記ねじりばねの右側端と前記伝動空間の右側端壁とが固定的に連結されることを特徴とする請求項１に記載の絵筆クリーニング装置。
【請求項４】
前記動力機構は前記底部左空間と前記底部右空間との間に回転できるように設置される底部回転軸を含み、前記底部回転軸の左側末端と前記底部左空間の左側端壁の中に固定的に植設される動力モーターとが動力が伝達できるように連結され、前記底部左空間の中に位置する前記底部回転軸の外壁には前記第一傘歯車と噛み合って設置される第三傘歯車が円周方向に固定的に設置され、前記底部回転軸の右側末端には底部右空間傘歯車が固定的に設置され、前記底部中空間の中に位置する前記底部回転軸の外壁には第四傘歯車が円周方向に固定的に設置され、前記第四傘歯車と前記第ニ傘歯車とが噛み合って設置され、前記底部右空間の頂壁の中にはかき混ぜ軸が回転できるように設置され、前記かき混ぜ軸の底端には前記底部右空間傘歯車と噛み合うかき混ぜの歯が固定的に設置され、前記かき混ぜ軸の頂端にはかき混ぜホイールが固定的に設置され、前記かき混ぜホイールの頂端にはかき混ぜ板が固定的に設置されることを特徴とする請求項１に記載の絵筆クリーニング装置。
【請求項５】
前記筆挟み板機構は前記昇降空間の中にスライドできるように設置される筆挟みブロックを含み、前記筆挟みブロックの中には筆挟みスクリューロッドが螺合し連結され、前記筆挟みスクリューロッドの底端と前記昇降空間の中に固定的に植設される筆挟みモーターとが動力が伝達できるように連結され、前記筆挟みモーターの後側端面にはゴムブロック空間が設置され、前記ゴムブロック空間の左右両側にはいずれも後側ギヤ空間が設置され、前記後側ギヤ空間と前記ゴムブロック空間との間にはスクリューロッドスライドブロックがスライドできるように設置され、前記スクリューロッドスライドブロックの右側にはゴムブロックが固定的に設置され、前記スクリューロッドスライドブロックの中にはスクリューロッドが螺合し連結され、前記スクリューロッドには後側ギヤが固定的に連結され、前記後側ギヤ空間の前後端壁には前後へ伸びているラック溝が設置され、前記後側ギヤ空間の前側にある前記筆挟みブロックの中には前側ギヤ空間が設置され、前記ラック溝が前記前側ギヤ空間を貫通し、前記ラック溝の中にはラックがスライドできるように設置され、前記ラックと前記後側ギヤの底部とが噛み合って設置され、前記前側ギヤ空間の右側端壁の中には治具モーターが固定的に植設され、前記治具モーターの左側端には動力軸が動力が伝達できるように連結され、前記動力軸の左側端には前記ラックと噛み合って設置される前側ギヤが固定的に設置され、前記ラック溝と、前記ラックと、前記前側ギヤと、前記動力軸と、前記後側ギヤと、前記スクリューロッドと、前記ゴムブロックと前記スクリューロッドスライドブロックとがいずれも左右対称になるように設置されることを特徴とする請求項１に記載の絵筆クリーニング装置。
【発明の詳細な説明】
【技術分野】
【０００１】
本発明はクリーニング技術分野に関わり、具体的には絵筆クリーニング装置である。
【背景技術】
【０００２】
絵筆は使用された後、タイムリーにクリーニングすることが必要であり、そうしないと、絵筆を損傷する恐れがあり、伝統的な絵筆クリーニング作業は人によるのであり、人によるクリーニングは効率が低い上に、クリーニング効果も良くなく、クリーニングする過程に、顔料が飛び散りやすく、クリーニングする人の服を汚し、且つクリーニングされた絵筆がタイムリーに乾くことが難しく、そのために保存にも不便である。
【先行技術文献】
【特許文献】
【０００３】
【特許文献１】中国特許出願公開第104118267号明細書
【発明の概要】
【発明が解決しようとする課題】
【０００４】
本発明は絵筆クリーニング装置を提供し、既存技術の上記欠点を解消し、クリーニング効果を高めることを目的とする。
【課題を解決するための手段】
【０００５】
本発明の絵筆クリーニング装置は、筆筒を含み、前記筆筒の頂部の中にはクリーニング空間が設置され、前記クリーニング空間の左側にある前期筆筒の中にはサムホイール空間が設置され、前記サムホイール空間の底壁には左側スライドブロック空間が設置され、前記左側スライドブロック空間と前記サムホイール空間との中には旋転筆挟み機構が設置され、前記クリーニング空間と前記サムホイール空間との間にはカム空間が連通し設置され、前記クリーニング空間の右側端壁には挟み乾かし右空間が設置され、前記カム空間と前記挟み乾かし右空間との間には筆乾燥機構が設置され、前記カム空間の底部にある前記筆筒の中には右側スライドブロック空間が設置され、前記右側スライドブロック空間の底部にある前記筆筒の中には伝動空間が設置され、前記伝動空間と前記クリーニング空間との間にはクリーニング機構が設置され、前記伝動空間の底部にある前記筆筒の中には底部中空間が設置され、前記底部中空間の左側にある前期筆筒の中には底部左空間が設置され、前記底部中空間の右側にある前記筆筒の中には底部右空間が設置され、前記底部左空間と前記底部右空間との間には動力機構が設置され、前記クリーニング空間の右側端壁のうち上方に接近する位置には昇降空間が設置され、前記昇降空間の中には昇降空間機構が設置され、前記クリーニング空間の後側には水出入り口が設置され、前記旋転筆挟み機構は前記サムホイール空間の頂壁の中に回転できるように設置される旋転軸を含み、前記旋転軸の底端には溝車が固定的に設置され、前記溝車の底端には回し溝が設置され、前記旋転軸の頂端には旋転ブロックが固定的に設置され、前記旋転ブロックの左右両側にはサポート板が対称になるように設置され、左側にある前記サポート板を例とし、前記サポート板の底端には挟み空間が設置され、前記挟み空間の左右両側の端壁にはブロック挟みスライド空間が設置され、前記ブロック挟みスライド空間の中には挟みブロックがスライドできるように設置され、前記挟みブロックと前記ブロック挟みスライド空間の左側端壁との間には治具ばねが弾性的にに連結され、前記サムホイール空間の底壁には左側スライドブロック空間が設置され、前記左側スライドブロックの中には左側スライドブロックがスライドできるように設置され、前記左側スライドブロックの中には左側スプラインスリーブが回転できるように設置され、前記左側スプラインスリーブの頂端にはサムホイールが固定的に設置され、前記左側スプラインスリーブの中には左側回転軸がスプラインによって嵌合連結され、前記左側回転軸の底端には第一傘歯車が設置され、前記左側スライドブロック空間の右側端壁には左側リール空間が設置され、前記左側リール空間の中には前記左側スライドブロックと噛み合って設置される左側糸巻きギヤが回転できるように設置され、前記左側糸巻きギヤの後側には小モーターが動力が伝達できるように連結される。
【０００６】
有益的に、前記筆乾燥機構は前記右側スライドブロック空間の中にスライドできるように設置される右側スライドブロックを含み、前記右側スライドブロックの中には右側スプラインスリーブが回転できるように設置され、前記右側スプラインスリーブの底端には右側回転ホイールが固定的に設置され、前記右側回転ホイールの底端には回転ホイール溝が設置され、前記右側スライドブロック空間の左側端壁には右側リール空間が設置され、前記右側リール空間の中には右側リールが回転できるように設置され、前記右側リールと前記左側糸巻きギヤとの間は縄により動力が伝達できるように連結され、前記右側スプラインスリーブの中には右側スプライン軸がスプラインによって嵌合連結され、前記右側スプライン軸の頂端が前記カム空間の中に挿入され、前記右側スプライン軸の末端にはカムが固定的に設置され、前記カムの左側にある前記カム空間の中にはプッシュ板がスライドできるように設置され、前記プッシュ板の左側端面と前記カム空間の左側端壁との間にはプッシュ板ばねが弾性的に連結され、前記プッシュ板の右側端面には前後対称になるように設置される左側ヒンジ連結ロッドがヒンジで連結され、前記挟み乾かし右空間の中には前後対称になるように設置される右側ヒンジ連結ロッドがヒンジで連結され、前記右側ヒンジ連結ロッドと前記左側ヒンジ連結ロッドとがヒンジで連結され、前記左側ヒンジ連結ロッドと前記右側ヒンジ連結ロッドとの上にはいずれも小スライドブロックがスライドできるように設置され、前記小スライドブロックの前端にはいずれも連接棒がヒンジで連結され、前記連接棒の前端にはいずれも挟み乾かし板がヒンジで連結され、前記挟み乾かし板が前後対称になるように設置され、前後対称の前記挟み乾かし板はクリーニングされた筆を挟んで乾かすことができ、水分を取り除く。
【０００７】
有益的に、前記クリーニング機構は前記伝動空間の中に回転できるように設置される方向切換軸を含み、前記方向切換軸の頂端が前記右側スライドブロック空間の中に挿入され、且つ前記方向切換軸の末端には右側回転ブロックが固定的に設置され、前記右側回転ブロックと前記回転ホイール溝とが対向するように設置され、前記伝動空間の中に位置する前記方向切換軸の外壁には扇状ギヤが円周方向になるように固定的に設置され、前記方向切換軸の底端には前記底部中空間の中に位置する第ニ傘歯車が固定的に設置され、前記伝動空間の右側端壁の中には左右に伸びているクリーニング軸が回転できる設置され、前記クリーニング軸の右側の延伸部分が前記クリーニング空間の中に挿入され、前記クリーニング空間の中に位置する前記クリーニング軸の外壁にはクリーニング軸スリーブが円周方向に固定的に設置され、前記クリーニング軸スリーブの頂部外壁にはブラシが固定的に設置され、前記クリーニング軸の左側末端には前記伝動空間の中に位置する扇状ギヤが固定的に設置され、前記扇状ギヤの右側端とねじりばねとが固定的に連結され、前記ねじりばねの右側端と前記伝動空間の右側端壁とが固定的に連結される。
【０００８】
有益的に、前記動力機構は前記底部左空間と前記底部右空間との間に回転できるように設置される底部回転軸を含み、前記底部回転軸の左側末端と前記底部左空間の左側端壁の中に固定的に植設される動力モーターとが動力が伝達できるように連結され、前記底部左空間の中に位置する前記底部回転軸の外壁には前記第一傘歯車と噛み合って設置される第三傘歯車が円周方向に固定的に設置され、前記底部回転軸の右側末端には底部右空間傘歯車が固定的に設置され、前記底部中空間の中に位置する前記底部回転軸の外壁には第四傘歯車が円周方向に固定的に設置され、前記第四傘歯車と前記第ニ傘歯車とが噛み合って設置され、前記底部右空間の頂壁の中にはかき混ぜ軸が回転できるように設置され、前記かき混ぜ軸の底端には前記底部右空間傘歯車と噛み合うかき混ぜの歯が固定的に設置され、前記かき混ぜ軸の頂端にはかき混ぜホイールが固定的に設置され、前記かき混ぜホイールの頂端にはかき混ぜ板が固定的に設置される。
【０００９】
有益的に、前記筆挟み板機構は前記昇降空間の中にスライドできるように設置される筆挟みブロックを含み、前記筆挟みブロックの中には筆挟みスクリューロッドが螺合し連結され、前記筆挟みスクリューロッドの底端と前記昇降空間の中に固定的に植設される筆挟みモーターとが動力が伝達できるように連結され、前記筆挟みモーターの後側端面にはゴムブロック空間が設置され、前記ゴムブロック空間の左右両側にはいずれも後側ギヤ空間が設置され、前記後側ギヤ空間と前記ゴムブロック空間との間にはスクリューロッドスライドブロックがスライドできるように設置され、前記スクリューロッドスライドブロックの右側にはゴムブロックが固定的に設置され、前記スクリューロッドスライドブロックの中にはスクリューロッドが螺合し連結され、前記スクリューロッドには後側ギヤが固定的に連結され、前記後側ギヤ空間の前後端壁には前後へ伸びているラック溝が設置され、前記後側ギヤ空間の前側にある前記筆挟みブロックの中には前側ギヤ空間が設置され、前記ラック溝が前記前側ギヤ空間を貫通し、前記ラック溝の中にはラックがスライドできるように設置され、前記ラックと前記後側ギヤの底部とが噛み合って設置され、前記前側ギヤ空間の右側端壁の中には治具モーターが固定的に植設され、前記治具モーターの左側端には動力軸が動力が伝達できるように連結され、前記動力軸の左側端には前記ラックと噛み合って設置される前側ギヤが固定的に設置され、前記ラック溝と、前記ラックと、前記前側ギヤと、前記動力軸と、前記後側ギヤと、前記スクリューロッドと、前記ゴムブロックと前記スクリューロッドスライドブロックとがいずれも左右対称になるように設置される。
【発明の効果】
【００１０】
本装置の旋転筆挟み機構は旋転軸の回転により、旋転ブロックをれんどうさせて回転させ、それによってサポート板を回転させ、更に絵筆を挟みブロックの間に引っ掛からせ、それと同時に絵筆を筆挟み機構の外部に送り、筆乾燥機構がカムを通じてプッシュ板をれんどうさせて左右に繰り返して運動させ、これにより挟み乾かし板が繰り返して絵筆の筆頭を挟んで乾かし、クリーニング機構はクリーニング軸の往復運動により、ブラシをれんどうさせて往復運動させ、絵筆の底部を洗い、クリーニング効果がより良くなり、動力機構がクリーニング機構と、筆乾燥機構と、旋転筆挟み機構に動力を提供し、筆挟み機構は絵筆をゴムブロックによりきつく挟んで固定することができ、それから筆挟みスクリューロッドの回転により、筆挟みブロックを下へ移動させ、更に絵筆をクリーニング空間の中に挿入してクリーニングし、伝統的な手動のクリーニングと比べて、本装置は自動の機械によるクリーニングを実現でき、手動クリーニングする時に顔料が飛び散ることを回避でき、クリーニングする人の服が汚れないように保証でき、且つ本装置はクリーニング完了した後に自動的に絵筆をクリーニング空間から持ち出すことができ、絵筆をサポート板に掛け、次回の使用に便利である。
【図面の簡単な説明】
【００１１】
【図１】図１は本発明の絵筆クリーニング装置の全体構成模式図
【図２】図２は本発明の筆挟みブロックの平面構成模式図
【図３】図３は本発明の旋転ブロックとサポート板の平面構成模式図
【図４】図４は本発明の図１のＢ−Ｂ方向の模式図
【図５】図５は本発明の図１のＡの拡大構成模式図
【発明を実施するための形態】
【００１２】
下記に図１−５を合わせて本発明に対して詳しく説明し、意思の疎通にもっと便利なため、以下に出る上下左右前後の方向と図１自身の投影関係の上下左右前後の方向とは一致している。
【００１３】
図１−５に示しているように、本発明の絵筆クリーニング装置は、筆筒１００を含み、前記筆筒１００の頂部の中にはクリーニング空間１３９が設置され、前記クリーニング空間１３９の左側にある前期筆筒１００の中にはサムホイール空間１０２が設置され、前記サムホイール空間１０２の底壁には左側スライドブロック空間２００が設置され、前記左側スライドブロック空間２００と前記サムホイール空間１０２との中には旋転筆挟み機構１０が設置され、前記クリーニング空間１３９と前記サムホイール空間１０２との間にはカム空間１５７が連通し設置され、前記クリーニング空間１３９の右側端壁には挟み乾かし右空間１４０が設置され、前記カム空間１５７と前記挟み乾かし右空間１４０との間には筆乾燥機構１１が設置され、前記カム空間１５７の底部にある前記筆筒１００の中には右側スライドブロック空間１８１が設置され、前記右側スライドブロック空間１８１の底部にある前記筆筒１００の中には伝動空間１７１が設置され、前記伝動空間１７１と前記クリーニング空間１３９との間にはクリーニング機構１２が設置され、前記伝動空間１７１の底部にある前記筆筒１００の中には底部中空間１１３が設置され、前記底部中空間１１３の左側にある前期筆筒１００の中には底部左空間１０７が設置され、前記底部中空間１１３の右側にある前記筆筒１００の中には底部右空間１１６が設置され、前記底部左空間１０７と前記底部右空間１１６との間には動力機構１３が設置され、前記クリーニング空間１３９の右側端壁のうち上方に接近する位置には昇降空間１３２が設置され、前記昇降空間１３２の中には昇降空間機構１４が設置され、前記クリーニング空間１３９の後側には水出入り口１９９が設置され、前記旋転筆挟み機構１０は前記サムホイール空間１０２の頂壁の中に回転できるように設置される旋転軸１０１を含み、前記旋転軸１０１の底端には溝車１６４が固定的に設置され、前記溝車１６４の底端には回し溝１６３が設置され、前記旋転軸１０１の頂端には旋転ブロック１３５が固定的に設置され、前記旋転ブロック１３５の左右両側にはサポート板１３６が対称になるように設置され、左側にある前記サポート板１３６を例とし、前記サポート板１３６の底端には挟み空間１５３が設置され、前記挟み空間１５３の左右両側の端壁にはブロック挟みスライド空間１５５が設置され、前記ブロック挟みスライド空間の中には挟みブロック１５４がスライドできるように設置され、前記挟みブロック１５４と前記ブロック挟みスライド空間１５５の左側端壁との間には治具ばね１５６が弾性的にに連結され、前記サムホイール空間１０２の底壁には左側スライドブロック空間２００が設置され、前記左側スライドブロック２００の中には左側スライドブロック１０３がスライドできるように設置され、前記左側スライドブロック１０３の中には左側スプラインスリーブ１０４が回転できるように設置され、前記左側スプラインスリーブ１０４の頂端にはサムホイール３０５が固定的に設置され、前記左側スプラインスリーブ１０４の中には左側回転軸１０５がスプラインによって嵌合連結され、前記左側回転軸１０５の底端には第一傘歯車１０６が設置され、前記左側スライドブロック空間２００の右側端壁には左側リール空間１７０が設置され、前記左側リール空間１７０の中には前記左側スライドブロック１０３と噛み合って設置される左側糸巻きギヤ１６７が回転できるように設置され、前記左側糸巻きギヤ１６７の後側には小モーター１９８が動力が伝達できるように連結される。
【００１４】
有益的に、前記筆乾燥機構１１は前記右側スライドブロック空間１８１の中にスライドできるように設置される右側スライドブロック１７７を含み、前記右側スライドブロック１７７の中には右側スプラインスリーブ１７８が回転できるように設置され、前記右側スプラインスリーブ１７８の底端には右側回転ホイール１９０が固定的に設置され、前記右側回転ホイール１９０の底端には回転ホイール溝１７６が設置され、前記右側スライドブロック空間１８１の左側端壁には右側リール空間１７９が設置され、前記右側リール空間１７９の中には右側リール１８０が回転できるように設置され、前記右側リール１８０と前記左側糸巻きギヤ１６７との間は縄１６８により動力が伝達できるように連結され、前記右側スプラインスリーブ１７８の中には右側スプライン軸１６６がスプラインによって嵌合連結され、前記右側スプライン軸１６６の頂端が前記カム空間１５７の中に挿入され、前記右側スプライン軸１６６の末端にはカム１５９が固定的に設置され、前記カム１５９の左側にある前記カム空間１５７の中にはプッシュ板１６５がスライドできるように設置され、前記プッシュ板１６５の左側端面と前記カム空間１５７の左側端壁との間にはプッシュ板ばね３０８が弾性的に連結され、前記プッシュ板１６５の右側端面には前後対称になるように設置される左側ヒンジ連結ロッド１５８がヒンジで連結され、前記挟み乾かし右空間１４０の中には前後対称になるように設置される右側ヒンジ連結ロッド３０１がヒンジで連結され、前記右側ヒンジ連結ロッド３０１と前記左側ヒンジ連結ロッド１５８とがヒンジで連結され、前記左側ヒンジ連結ロッド１５８と前記右側ヒンジ連結ロッド３０１との上にはいずれも小スライドブロック３０２がスライドできるように設置され、前記小スライドブロック３０２の前端にはいずれも連接棒１６０がヒンジで連結され、前記連接棒１６０の前端にはいずれも挟み乾かし板１６１がヒンジで連結され、前記挟み乾かし板１６１が前後対称になるように設置され、前後対称の前記挟み乾かし板１６１はクリーニングされた筆を挟んで乾かすことができ、水分を取り除く。
【００１５】
有益的に、前記クリーニング機構１２は前記伝動空間１７１の中に回転できるように設置される方向切換軸１１４を含み、前記方向切換軸１１４の頂端が前記右側スライドブロック空間１８１の中に挿入され、且つ前記方向切換軸１１４の末端には右側回転ブロック１７５が固定的に設置され、前記右側回転ブロック１７５と前記回転ホイール溝１７６とが対向するように設置され、前記伝動空間１７１の中に位置する前記方向切換軸１１４の外壁には扇状ギヤ１７２が円周方向になるように固定的に設置され、前記方向切換軸１１４の底端には前記底部中空間１１３の中に位置する第ニ傘歯車１１２が固定的に設置され、前記伝動空間１７１の右側端壁の中には左右に伸びているクリーニング軸１３８が回転できる設置され、前記クリーニング軸１３８の右側の延伸部分が前記クリーニング空間１３９の中に挿入され、前記クリーニング空間１３９の中に位置する前記クリーニング軸１３８の外壁にはクリーニング軸スリーブ１２８が円周方向に固定的に設置され、前記クリーニング軸スリーブ１２８の頂部外壁にはブラシ１３７が固定的に設置され、前記クリーニング軸１３８の左側末端には前記伝動空間１７１の中に位置する扇状ギヤ１７２が固定的に設置され、前記扇状ギヤ１７２の右側端とねじりばね１７４とが固定的に連結され、前記ねじりばね１７４の右側端と前記伝動空間１７１の右側端壁とが固定的に連結される。
【００１６】
有益的に、前記動力機構１３は前記底部左空間１０７と前記底部右空間１１６との間に回転できるように設置される底部回転軸１１０を含み、前記底部回転軸１１０の左側末端と前記底部左空間１０７の左側端壁の中に固定的に植設される動力モーター１０９とが動力が伝達できるように連結され、前記底部左空間１０７の中に位置する前記底部回転軸１１０の外壁には前記第一傘歯車１０６と噛み合って設置される第三傘歯車１０８が円周方向に固定的に設置され、前記底部回転軸１１０の右側末端には底部右空間傘歯車１１５が固定的に設置され、前記底部中空間１１３の中に位置する前記底部回転軸１１０の外壁には第四傘歯車１１１が円周方向に固定的に設置され、前記第四傘歯車１１１と前記第ニ傘歯車１１２とが噛み合って設置され、前記底部右空間１１６の頂壁の中にはかき混ぜ軸１１８が回転できるように設置され、前記かき混ぜ軸１１８の底端には前記底部右空間傘歯車１１５と噛み合うかき混ぜの歯１１７が固定的に設置され、前記かき混ぜ軸１１８の頂端にはかき混ぜホイール１１９が固定的に設置され、前記かき混ぜホイール１１９の頂端にはかき混ぜ板１２３が固定的に設置される。
【００１７】
有益的に、前記筆挟み板機構１４は前記昇降空間１３２の中にスライドできるように設置される筆挟みブロック１３４を含み、前記筆挟みブロック１３４の中には筆挟みスクリューロッド１３３が螺合し連結され、前記筆挟みスクリューロッド１３３の底端と前記昇降空間１３２の中に固定的に植設される筆挟みモーター１３１とが動力が伝達できるように連結され、前記筆挟みモーター１３１の後側端面にはゴムブロック空間１４１が設置され、前記ゴムブロック空間１４１の左右両側にはいずれも後側ギヤ空間１４６が設置され、前記後側ギヤ空間１４６と前記ゴムブロック空間１４１との間にはスクリューロッドスライドブロック１４３がスライドできるように設置され、前記スクリューロッドスライドブロック１４３の右側にはゴムブロック１４２が固定的に設置され、前記スクリューロッドスライドブロック１４３の中にはスクリューロッド１４４が螺合し連結され、前記スクリューロッド１４４には後側ギヤ１４５が固定的に連結され、前記後側ギヤ空間１４６の前後端壁には前後へ伸びているラック溝１５２が設置され、前記後側ギヤ空間１４６の前側にある前記筆挟みブロック１３４の中には前側ギヤ空間１４８が設置され、前記ラック溝１５２が前記前側ギヤ空間１４８を貫通し、前記ラック溝１５２の中にはラック１４７がスライドできるように設置され、前記ラック１４７と前記後側ギヤ１４５の底部とが噛み合って設置され、前記前側ギヤ空間１４８の右側端壁の中には治具モーター１５０が固定的に植設され、前記治具モーター１５０の左側端には動力軸１５１が動力が伝達できるように連結され、前記動力軸１５１の左側端には前記ラック１４７と噛み合って設置される前側ギヤ１４９が固定的に設置され、前記ラック溝１５２と、前記ラック１４７と、前記前側ギヤ１４９と、前記動力軸１５１と、前記後側ギヤ１４５と、前記スクリューロッド１４４と、前記ゴムブロック１４２と前記スクリューロッドスライドブロック１４３とがいずれも左右対称になるように設置される。
【００１８】
使用する時、はじめに、水を水出入り口１９９からクリーニング空間１３９の中に流し、筆をゴムブロック空間１４１の中にあるゴムブロック１４２の間に置き、それと同時に治具モーター１５０を始動し、動力軸１５１を回転させ、これにより前側ギヤ１４９を回転させ、それによってラック１４７を上へ移動させ、これにより後側ギヤ１４５を回転させ、それによってゴムブロック１４２を互いに近づかせて筆をきつく挟み、この時に筆挟みモーター１３１を始動し、筆挟みブロック１３４を下へ移動させ、その上で更に筆が前後対称の挟み乾かし板１６１を通り抜けてクリーニング空間１３９の中に挿入され、ブラシ１３７の上方に位置し、この時に動力モーター１０９を始動し、底部回転軸１１０を回転させ、更に底部右空間傘歯車１１５をれんどうさせて回転させ、それによってかき混ぜ軸１１８を回転させ、更にかき混ぜホイール１１９をれんどうさせて回転させ、それによって水をクリーニング空間１３９の中でかき回し、それと同時に、底部回転軸１１０が回転し、第四傘歯車１１１をれんどうさせて回転させ、更に第ニ傘歯車１１２をれんどうさせて回転させ、それによって方向切換軸１１４を回転させ、更に扇状ギヤ１７２を回転させ、更に扇状ギヤ１７２を回転させ、それによってブラシ１３７により筆の底部を洗い、インクをきれいに洗い落とし、クリーニング完了した後、筆挟みモーター１３１を反転させ、更に筆挟みブロック１３４を上へ移動させ、絵筆の底端を前後対称の挟み乾かし板１６１の間に位置させ、この時、左側糸巻きギヤ１６７の後側にある小モーター１９８を始動することによって左側糸巻きギヤ１６７を回転させ、更に右側リール１８０をれんどうさせ、それによって右側スライドブロック１７７を下へ移動させ、更に右側回転ブロック１７５と右側回転ホイール１９０とを噛み合わせ、この時に回転軸１１４が右側回転ブロック１７５をれんどうさせて回転させ、更に右側スプライン軸１６６をれんどうさせて回転させ、それによってカム１５９を回転させ、更にプッシュ板１６５に左右への往復運動を行わせ、それによって前後両側の挟み乾かし板１６１を繰り返して互いに近づかせて絵筆を挟んで乾かし、挟んで乾かした後に小モーター１９８を反転させて更に左側糸巻きギヤ１６７をれんどうさせて反転させ、左側スライドブロック１０３を上へ移動させ、右側スライドブロック１７７が上へ移動し、それによって右側回転ホイール１９０を右側回転ブロック１７５から離れさせ、サムホイール３０５を溝車１６４と噛み合わせ、この時に底部回転軸１１０が第一傘歯車１０６をれんどうさせて回転させ、更に左側回転軸１０５をれんどうさせて回転させ、溝車１６４に間欠運動を行わせ、更に旋転軸１０１を回転させ、それによって筆挟みブロック１３４がゴムブロック１４２の間の絵筆を回転させながら連行し、絵筆が挟みブロック１５４の間にある挟み空間１５３の中に引っ掛かる。
【００１９】
本発明有益な効果は：
【００２０】
本装置の旋転筆挟み機構は旋転軸の回転により、旋転ブロックをれんどうさせて回転させ、それによってサポート板を回転させ、更に絵筆を挟みブロックの間に引っ掛からせ、それと同時に絵筆を筆挟み機構の外部に送り、筆乾燥機構がカムを通じてプッシュ板をれんどうさせて左右に繰り返して運動させ、これにより挟み乾かし板が繰り返して絵筆の筆頭を挟んで乾かし、クリーニング機構はクリーニング軸の往復運動により、ブラシをれんどうさせて往復運動させ、絵筆の底部を洗い、クリーニング効果がより良くなり、動力機構がクリーニング機構と、筆乾燥機構と、旋転筆挟み機構に動力を提供し、筆挟み機構は絵筆をゴムブロックによりきつく挟んで固定することができ、それから筆挟みスクリューロッドの回転により、筆挟みブロックを下へ移動させ、更に絵筆をクリーニング空間の中に挿入してクリーニングし、伝統的な手動のクリーニングと比べて、本装置は自動の機械によるクリーニングを実現でき、手動クリーニングする時に顔料が飛び散ることを回避でき、クリーニングする人の服が汚れないように保証でき、且つ本装置はクリーニング完了した後に自動的に絵筆をクリーニング空間から持ち出すことができ、絵筆をサポート板に掛け、次回の使用に便利である。
【００２１】
本発明の実施例を示し、且つ叙述したが、当業者にとって、本発明の原理と精神から離脱しない場合で、これらの実施例に各種の変化、修正、入れ替わりと変型を行ってもよく、本発明の範囲は添付した権利要求及び同質物に限定される。
【図１】
2020175634.tif 000003
【図２】
2020175634.tif 000004
【図３】
2020175634.tif 000005
【図４】
2020175634.tif 000006
【図５】
2020175634.tif 000007
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
本体を含み、前記本体の頂部にはクリーニング空間が設置され、前記クリーニング空間の左側にはサムホイール空間が設置され、前記サムホイール空間の底壁には左側スライドブロック空間が設置され、前記左側スライドブロック空間と前記サムホイール空間との中には旋転筆挟み機構が設置され、前記クリーニング空間と前記サムホイール空間との間にはカム空間が連通し設置され、前記クリーニング空間の右側端壁には挟み乾かし右空間が設置され、前記カム空間と前記挟み乾かし右空間との間には筆乾燥機構が設置され、前記カム空間の底部には右側スライドブロック空間が設置され、前記右側スライドブロック空間の底部には伝動空間が設置され、前記伝動空間と前記クリーニング空間との間にはクリーニング機構が設置され、前記伝動空間の底部には底部中空間が設置され、前記底部中空間の左側には底部左空間が設置され、前記底部中空間の右側には底部右空間が設置され、前記底部左空間と前記底部右空間との間には動力機構が設置され、前記クリーニング空間の右側端壁のうち上方に接近する位置には昇降空間が設置され、前記昇降空間の中には昇降空間機構が設置され、前記クリーニング空間の後側には水出入り口が設置され、前記旋転筆挟み機構は前記サムホイール空間の頂壁の中に回転できるように設置される旋転軸を含み、前記旋転軸の底端には溝車が固定的に設置され、前記溝車の底端には回し溝が設置され、前記旋転軸の頂端には旋転ブロックが固定的に設置され、前記旋転ブロックの左右両側にはサポート板が設置され、前記サポート板の底端には挟み空間が設置され、前記挟み空間の左右両側の端壁にはブロック挟みスライド空間が設置され、前記挟み空間の左右両側の端壁には挟みブロックがスライドできるように設置され、前記挟みブロックと前記ブロック挟みスライド空間の端壁との間には治具ばねが弾性的に連結され、前記左側スライドブロック空間の中には左側スライドブロックがスライドできるように設置され、前記左側スライドブロックの中には左側スプラインスリーブが回転できるように設置され、前記左側スプラインスリーブの頂端にはサムホイールが固定的に設置され、前記左側スプラインスリーブの中には左側回転軸がスプラインによって嵌合連結され、前記左側回転軸の底端には第一傘歯車が設置され、前記左側スライドブロック空間の右側端壁には左側リール空間が設置され、前記左側リール空間の中には前記左側スライドブロックと噛み合って設置される左側糸巻きギヤが回転できるように設置され、前記左側糸巻きギヤの後側には小モーターが動力が伝達できるように連結されることを特徴とする絵筆クリーニング装置。
【請求項２】
前記筆乾燥機構は前記右側スライドブロック空間の中にスライドできるように設置される右側スライドブロックを含み、前記右側スライドブロックの中には右側スプラインスリーブが回転できるように設置され、前記右側スプラインスリーブの底端には右側回転ホイールが固定的に設置され、前記右側回転ホイールの底端には回転ホイール溝が設置され、前記右側スライドブロック空間の左側端壁には右側リール空間が設置され、前記右側リール空間の中には右側リールが回転できるように設置され、前記右側リールと前記左側糸巻きギヤとの間は縄により動力が伝達できるように連結され、前記右側スプラインスリーブの中には右側スプライン軸がスプラインによって嵌合連結され、前記右側スプライン軸の頂端が前記カム空間の中に挿入され、前記右側スプライン軸の末端にはカムが固定的に設置され、前記カムの左側にある前記カム空間の中にはプッシュ板がスライドできるように設置され、前記プッシュ板の左側端面と前記カム空間の左側端壁との間にはプッシュ板ばねが弾性的に連結され、前記プッシュ板の右側端面には前後対称になるように設置される左側ヒンジ連結ロッドがヒンジで連結され、前記挟み乾かし右空間の中には前後対称になるように設置される右側ヒンジ連結ロッドがヒンジで連結され、前記右側ヒンジ連結ロッドと前記左側ヒンジ連結ロッドとがヒンジで連結され、前記左側ヒンジ連結ロッドと前記右側ヒンジ連結ロッドとの上にはいずれも小スライドブロックがスライドできるように設置され、前記小スライドブロックの前端にはいずれも連接棒がヒンジで連結され、前記連接棒の前端にはいずれも挟み乾かし板がヒンジで連結され、前記挟み乾かし板が前後対称になるように設置され、前後対称の前記挟み乾かし板はクリーニングされた筆を挟んで乾かすことができ、水分を取り除くことを特徴とする請求項１に記載の絵筆クリーニング装置。
【請求項３】
前記クリーニング機構は前記伝動空間の中に回転できるように設置される方向切換軸を含み、前記方向切換軸の頂端が前記右側スライドブロック空間の中に挿入され、且つ前記方向切換軸の末端には右側回転ブロックが固定的に設置され、前記右側回転ブロックと前記回転ホイール溝とが対向するように設置され、前記伝動空間の中に位置する前記方向切換軸の外壁には第一扇状ギヤが固定的に設置され、前記方向切換軸の底端には前記底部中空間の中に位置する第二傘歯車が固定的に設置され、前記伝動空間の右側端壁の中には左右に伸びているクリーニング軸が回転できるように設置され、前記クリーニング軸の右側の延伸部分が前記クリーニング空間の中に挿入され、前記クリーニング空間の中に位置する前記クリーニング軸の外壁にはクリーニング軸スリーブが円周方向に固定的に設置され、前記クリーニング軸スリーブの頂部外壁にはブラシが固定的に設置され、前記クリーニング軸の左側末端には前記伝動空間の中に位置する第二扇状ギヤが固定的に設置され、前記第二扇状ギヤの右側端とねじりばねとが固定的に連結され、前記ねじりばねの右側端と前記伝動空間の右側端壁とが固定的に連結されることを特徴とする請求項２に記載の絵筆クリーニング装置。
【請求項４】
前記動力機構は前記底部左空間と前記底部右空間との間に回転できるように設置される底部回転軸を含み、前記底部回転軸の左側末端と前記底部左空間の左側端壁の中に固定的に植設される動力モーターとが動力が伝達できるように連結され、前記底部左空間の中に位置する前記底部回転軸の外壁には前記第一傘歯車と噛み合って設置される第三傘歯車が円周方向に固定的に設置され、前記底部回転軸の右側末端には底部右空間傘歯車が固定的に設置され、前記底部中空間の中に位置する前記底部回転軸の外壁には第四傘歯車が円周方向に固定的に設置され、前記第四傘歯車と前記第二傘歯車とが噛み合って設置され、前記底部右空間の頂壁の中にはかき混ぜ軸が回転できるように設置され、前記かき混ぜ軸の底端には前記底部右空間傘歯車と噛み合うかき混ぜの歯が固定的に設置され、前記かき混ぜ軸の頂端にはかき混ぜホイールが固定的に設置され、前記かき混ぜホイールの頂端にはかき混ぜ板が固定的に設置されることを特徴とする請求項１に記載の絵筆クリーニング装置。
【請求項５】
前記昇降空間機構は前記昇降空間の中にスライドできるように設置される筆挟みブロックを含み、前記筆挟みブロックの中には筆挟みスクリューロッドが螺合し連結され、前記筆挟みスクリューロッドの底端と前記昇降空間の中に固定的に植設される筆挟みモーターとが動力が伝達できるように連結され、前記筆挟みモーターの後側端面にはゴムブロック空間が設置され、前記ゴムブロック空間の左右両側にはいずれも後側ギヤ空間が設置され、前記後側ギヤ空間と前記ゴムブロック空間との間にはスクリューロッドスライドブロックがスライドできるように設置され、前記スクリューロッドスライドブロックの端部にはゴムブロックが固定的に設置され、前記スクリューロッドスライドブロックの中にはスクリューロッドが螺合し連結され、前記スクリューロッドには後側ギヤが固定的に連結され、前記後側ギヤ空間の前後端壁には前後へ伸びているラック溝が設置され、前記後側ギヤ空間の前側にある前記筆挟みブロックの中には前側ギヤ空間が設置され、前記ラック溝が前記前側ギヤ空間を貫通し、前記ラック溝の中にはラックがスライドできるように設置され、前記ラックと前記後側ギヤの底部とが噛み合って設置され、前記前側ギヤ空間の右側端壁の中には治具モーターが固定的に植設され、前記治具モーターの左側端には動力軸が動力が伝達できるように連結され、前記動力軸の左側端には前記ラックと噛み合って設置される前側ギヤが固定的に設置され、前記ラック溝と、前記ラックと、前記前側ギヤと、前記動力軸と、前記後側ギヤと、前記スクリューロッドと、前記ゴムブロックと前記スクリューロッドスライドブロックとがいずれも左右対称になるように設置されることを特徴とする請求項１に記載の絵筆クリーニング装置。
【手続補正２】
【補正対象書類名】明細書
【補正対象項目名】全文
【補正方法】変更
【補正の内容】
【発明の詳細な説明】
【技術分野】
【０００１】
本発明はクリーニング技術分野に関わり、具体的には絵筆クリーニング装置である。
【背景技術】
【０００２】
絵筆は使用された後、タイムリーにクリーニングすることが必要であり、そうしないと、絵筆を損傷する恐れがあり、伝統的な絵筆クリーニング作業は人によるのであり、人によるクリーニングは効率が低い上に、クリーニング効果も良くなく、クリーニングする過程に、顔料が飛び散りやすく、クリーニングする人の服を汚し、且つクリーニングされた絵筆がタイムリーに乾くことが難しく、そのために保存にも不便である。
【先行技術文献】
【特許文献】
【０００３】
【特許文献１】中国特許出願公開第104118267号明細書
【発明の概要】
【発明が解決しようとする課題】
【０００４】
本発明は絵筆クリーニング装置を提供し、既存技術の上記欠点を解消し、クリーニング効果を高めることを目的とする。
【課題を解決するための手段】
【０００５】
本発明の絵筆クリーニング装置は、本体を含み、前記本体の頂部にはクリーニング空間が設置され、前記クリーニング空間の左側にはサムホイール空間が設置され、前記サムホイール空間の底壁には左側スライドブロック空間が設置され、前記左側スライドブロック空間と前記サムホイール空間との中には旋転筆挟み機構が設置され、前記クリーニング空間と前記サムホイール空間との間にはカム空間が連通し設置され、前記クリーニング空間の右側端壁には挟み乾かし右空間が設置され、前記カム空間と前記挟み乾かし右空間との間には筆乾燥機構が設置され、前記カム空間の底部には右側スライドブロック空間が設置され、前記右側スライドブロック空間の底部には伝動空間が設置され、前記伝動空間と前記クリーニング空間との間にはクリーニング機構が設置され、前記伝動空間の底部には底部中空間が設置され、前記底部中空間の左側には底部左空間が設置され、前記底部中空間の右側には底部右空間が設置され、前記底部左空間と前記底部右空間との間には動力機構が設置され、前記クリーニング空間の右側端壁のうち上方に接近する位置には昇降空間が設置され、前記昇降空間の中には昇降空間機構が設置され、前記クリーニング空間の後側には水出入り口が設置され、前記旋転筆挟み機構は前記サムホイール空間の頂壁の中に回転できるように設置される旋転軸を含み、前記旋転軸の底端には溝車が固定的に設置され、前記溝車の底端には回し溝が設置され、前記旋転軸の頂端には旋転ブロックが固定的に設置され、前記旋転ブロックの左右両側にはサポート板が設置され、前記サポート板の底端には挟み空間が設置され、前記挟み空間の左右両側の端壁にはブロック挟みスライド空間が設置され、前記挟み空間の左右両側の端壁には挟みブロックがスライドできるように設置され、前記挟みブロックと前記ブロック挟みスライド空間の端壁との間には治具ばねが弾性的に連結され、前記左側スライドブロック空間の中には左側スライドブロックがスライドできるように設置され、前記左側スライドブロックの中には左側スプラインスリーブが回転できるように設置され、前記左側スプラインスリーブの頂端にはサムホイールが固定的に設置され、前記左側スプラインスリーブの中には左側回転軸がスプラインによって嵌合連結され、前記左側回転軸の底端には第一傘歯車が設置され、前記左側スライドブロック空間の右側端壁には左側リール空間が設置され、前記左側リール空間の中には前記左側スライドブロックと噛み合って設置される左側糸巻きギヤが回転できるように設置され、前記左側糸巻きギヤの後側には小モーターが動力が伝達できるように連結される。
【０００６】
有益的に、前記筆乾燥機構は前記右側スライドブロック空間の中にスライドできるように設置される右側スライドブロックを含み、前記右側スライドブロックの中には右側スプラインスリーブが回転できるように設置され、前記右側スプラインスリーブの底端には右側回転ホイールが固定的に設置され、前記右側回転ホイールの底端には回転ホイール溝が設置され、前記右側スライドブロック空間の左側端壁には右側リール空間が設置され、前記右側リール空間の中には右側リールが回転できるように設置され、前記右側リールと前記左側糸巻きギヤとの間は縄により動力が伝達できるように連結され、前記右側スプラインスリーブの中には右側スプライン軸がスプラインによって嵌合連結され、前記右側スプライン軸の頂端が前記カム空間の中に挿入され、前記右側スプライン軸の末端にはカムが固定的に設置され、前記カムの左側にある前記カム空間の中にはプッシュ板がスライドできるように設置され、前記プッシュ板の左側端面と前記カム空間の左側端壁との間にはプッシュ板ばねが弾性的に連結され、前記プッシュ板の右側端面には前後対称になるように設置される左側ヒンジ連結ロッドがヒンジで連結され、前記挟み乾かし右空間の中には前後対称になるように設置される右側ヒンジ連結ロッドがヒンジで連結され、前記右側ヒンジ連結ロッドと前記左側ヒンジ連結ロッドとがヒンジで連結され、前記左側ヒンジ連結ロッドと前記右側ヒンジ連結ロッドとの上にはいずれも小スライドブロックがスライドできるように設置され、前記小スライドブロックの前端にはいずれも連接棒がヒンジで連結され、前記連接棒の前端にはいずれも挟み乾かし板がヒンジで連結され、前記挟み乾かし板が前後対称になるように設置され、前後対称の前記挟み乾かし板はクリーニングされた筆を挟んで乾かすことができ、水分を取り除く。
【０００７】
有益的に、前記クリーニング機構は前記伝動空間の中に回転できるように設置される方向切換軸を含み、前記方向切換軸の頂端が前記右側スライドブロック空間の中に挿入され、且つ前記方向切換軸の末端には右側回転ブロックが固定的に設置され、前記右側回転ブロックと前記回転ホイール溝とが対向するように設置され、前記伝動空間の中に位置する前記方向切換軸の外壁には第一扇状ギヤが固定的に設置され、前記方向切換軸の底端には前記底部中空間の中に位置する第二傘歯車が固定的に設置され、前記伝動空間の右側端壁の中には左右に伸びているクリーニング軸が回転できるように設置され、前記クリーニング軸の右側の延伸部分が前記クリーニング空間の中に挿入され、前記クリーニング空間の中に位置する前記クリーニング軸の外壁にはクリーニング軸スリーブが円周方向に固定的に設置され、前記クリーニング軸スリーブの頂部外壁にはブラシが固定的に設置され、前記クリーニング軸の左側末端には前記伝動空間の中に位置する第二扇状ギヤが固定的に設置され、前記第二扇状ギヤの右側端とねじりばねとが固定的に連結され、前記ねじりばねの右側端と前記伝動空間の右側端壁とが固定的に連結される。
【０００８】
有益的に、前記動力機構は前記底部左空間と前記底部右空間との間に回転できるように設置される底部回転軸を含み、前記底部回転軸の左側末端と前記底部左空間の左側端壁の中に固定的に植設される動力モーターとが動力が伝達できるように連結され、前記底部左空間の中に位置する前記底部回転軸の外壁には前記第一傘歯車と噛み合って設置される第三傘歯車が円周方向に固定的に設置され、前記底部回転軸の右側末端には底部右空間傘歯車が固定的に設置され、前記底部中空間の中に位置する前記底部回転軸の外壁には第四傘歯車が円周方向に固定的に設置され、前記第四傘歯車と前記第二傘歯車とが噛み合って設置され、前記底部右空間の頂壁の中にはかき混ぜ軸が回転できるように設置され、前記かき混ぜ軸の底端には前記底部右空間傘歯車と噛み合うかき混ぜの歯が固定的に設置され、前記かき混ぜ軸の頂端にはかき混ぜホイールが固定的に設置され、前記かき混ぜホイールの頂端にはかき混ぜ板が固定的に設置される。
【０００９】
有益的に、前記昇降空間機構は前記昇降空間の中にスライドできるように設置される筆挟みブロックを含み、前記筆挟みブロックの中には筆挟みスクリューロッドが螺合し連結され、前記筆挟みスクリューロッドの底端と前記昇降空間の中に固定的に植設される筆挟みモーターとが動力が伝達できるように連結され、前記筆挟みモーターの後側端面にはゴムブロック空間が設置され、前記ゴムブロック空間の左右両側にはいずれも後側ギヤ空間が設置され、前記後側ギヤ空間と前記ゴムブロック空間との間にはスクリューロッドスライドブロックがスライドできるように設置され、前記スクリューロッドスライドブロックの端部にはゴムブロックが固定的に設置され、前記スクリューロッドスライドブロックの中にはスクリューロッドが螺合し連結され、前記スクリューロッドには後側ギヤが固定的に連結され、前記後側ギヤ空間の前後端壁には前後へ伸びているラック溝が設置され、前記後側ギヤ空間の前側にある前記筆挟みブロックの中には前側ギヤ空間が設置され、前記ラック溝が前記前側ギヤ空間を貫通し、前記ラック溝の中にはラックがスライドできるように設置され、前記ラックと前記後側ギヤの底部とが噛み合って設置され、前記前側ギヤ空間の右側端壁の中には治具モーターが固定的に植設され、前記治具モーターの左側端には動力軸が動力が伝達できるように連結され、前記動力軸の左側端には前記ラックと噛み合って設置される前側ギヤが固定的に設置され、前記ラック溝と、前記ラックと、前記前側ギヤと、前記動力軸と、前記後側ギヤと、前記スクリューロッドと、前記ゴムブロックと前記スクリューロッドスライドブロックとがいずれも左右対称になるように設置される。
【発明の効果】
【００１０】
本装置の旋転筆挟み機構は旋転軸の回転により、旋転ブロックを連動させて回転させ、それによってサポート板を回転させ、更に絵筆を挟みブロックの間に引っ掛からせ、それと同時に絵筆を筆挟み機構の外部に送り、筆乾燥機構がカムを通じてプッシュ板を連動させて左右に繰り返して運動させ、これにより挟み乾かし板が繰り返して絵筆の筆頭を挟んで乾かし、クリーニング機構はクリーニング軸の往復運動により、ブラシを連動させて往復運動させ、絵筆の底部を洗い、クリーニング効果がより良くなり、動力機構がクリーニング機構と、筆乾燥機構と、旋転筆挟み機構に動力を提供し、筆挟み機構は絵筆をゴムブロックによりきつく挟んで固定することができ、それから筆挟みスクリューロッドの回転により、筆挟みブロックを下へ移動させ、更に絵筆をクリーニング空間の中に挿入してクリーニングし、伝統的な手動のクリーニングと比べて、本装置は自動の機械によるクリーニングを実現でき、手動クリーニングする時に顔料が飛び散ることを回避でき、クリーニングする人の服が汚れないように保証でき、且つ本装置はクリーニング完了した後に自動的に絵筆をクリーニング空間から持ち出すことができ、絵筆をサポート板に掛け、次回の使用に便利である。
【図面の簡単な説明】
【００１１】
【図１】図１は本発明の絵筆クリーニング装置の全体構成模式図
【図２】図２は本発明の筆挟みブロックの平面構成模式図
【図３】図３は本発明の旋転ブロックとサポート板の平面構成模式図
【図４】図４は本発明の図１のＢ−Ｂ方向の模式図
【図５】図５は本発明の図１のＡの拡大構成模式図
【発明を実施するための形態】
【００１２】
下記に図１−５を合わせて本発明に対して詳しく説明し、意思の疎通にもっと便利なため、以下に出る上下左右前後の方向と図１自身の投影関係の上下左右前後の方向とは一致している。
【００１３】
図１−５に示しているように、本発明の絵筆クリーニング装置は、本体１００を含み、前記本体１００の頂部にはクリーニング空間１３９が設置され、前記クリーニング空間１３９の左側にはサムホイール空間１０２が設置され、前記サムホイール空間１０２の底壁には左側スライドブロック空間２００が設置され、前記左側スライドブロック空間２００と前記サムホイール空間１０２との中には旋転筆挟み機構１０が設置され、前記クリーニング空間１３９と前記サムホイール空間１０２との間にはカム空間１５７が連通し設置され、前記クリーニング空間１３９の右側端壁には挟み乾かし右空間１４０が設置され、前記カム空間１５７と前記挟み乾かし右空間１４０との間には筆乾燥機構１１が設置され、前記カム空間１５７の底部には右側スライドブロック空間１８１が設置され、前記右側スライドブロック空間１８１の底部には伝動空間１７１が設置され、前記伝動空間１７１と前記クリーニング空間１３９との間にはクリーニング機構１２が設置され、前記伝動空間１７１の底部には底部中空間１１３が設置され、前記底部中空間１１３の左側には底部左空間１０７が設置され、前記底部中空間１１３の右側には底部右空間１１６が設置され、前記底部左空間１０７と前記底部右空間１１６との間には動力機構１３が設置され、前記クリーニング空間１３９の右側端壁のうち上方に接近する位置には昇降空間１３２が設置され、前記昇降空間１３２の中には昇降空間機構１４が設置され、前記クリーニング空間１３９の後側には水出入り口１９９が設置され、前記旋転筆挟み機構１０は前記サムホイール空間１０２の頂壁の中に回転できるように設置される旋転軸１０１を含み、前記旋転軸１０１の底端には溝車１６４が固定的に設置され、前記溝車１６４の底端には回し溝１６３が設置され、前記旋転軸１０１の頂端には旋転ブロック１３５が固定的に設置され、前記旋転ブロック１３５の左右両側にはサポート板１３６が対称になるように設置され、左側にある前記サポート板１３６を例とし、前記サポート板１３６の底端には挟み空間１５３が設置され、前記挟み空間１５３の左右両側の端壁にはブロック挟みスライド空間１５５が設置され、前記挟み空間１５３の左右両側の端壁には挟みブロック１５４がスライドできるように設置され、前記挟みブロック１５４と前記ブロック挟みスライド空間１５５の左側端壁との間には治具ばね１５６が弾性的に連結され、前記サムホイール空間１０２の底壁には左側スライドブロック空間２００が設置され、前記左側スライドブロック空間２００の中には左側スライドブロック１０３がスライドできるように設置され、前記左側スライドブロック１０３の中には左側スプラインスリーブ１０４が回転できるように設置され、前記左側スプラインスリーブ１０４の頂端にはサムホイール３０５が固定的に設置され、前記左側スプラインスリーブ１０４の中には左側回転軸１０５がスプラインによって嵌合連結され、前記左側回転軸１０５の底端には第一傘歯車１０６が設置され、前記左側スライドブロック空間２００の右側端壁には左側リール空間１７０が設置され、前記左側リール空間１７０の中には前記左側スライドブロック１０３と噛み合って設置される左側糸巻きギヤ１６７が回転できるように設置され、前記左側糸巻きギヤ１６７の後側には小モーター１９８が動力が伝達できるように連結される。
【００１４】
有益的に、前記筆乾燥機構１１は前記右側スライドブロック空間１８１の中にスライドできるように設置される右側スライドブロック１７７を含み、前記右側スライドブロック１７７の中には右側スプラインスリーブ１７８が回転できるように設置され、前記右側スプラインスリーブ１７８の底端には右側回転ホイール１９０が固定的に設置され、前記右側回転ホイール１９０の底端には回転ホイール溝１７６が設置され、前記右側スライドブロック空間１８１の左側端壁には右側リール空間１７９が設置され、前記右側リール空間１７９の中には右側リール１８０が回転できるように設置され、前記右側リール１８０と前記左側糸巻きギヤ１６７との間は縄１６８により動力が伝達できるように連結され、前記右側スプラインスリーブ１７８の中には右側スプライン軸１６６がスプラインによって嵌合連結され、前記右側スプライン軸１６６の頂端が前記カム空間１５７の中に挿入され、前記右側スプライン軸１６６の末端にはカム１５９が固定的に設置され、前記カム１５９の左側にある前記カム空間１５７の中にはプッシュ板１６５がスライドできるように設置され、前記プッシュ板１６５の左側端面と前記カム空間１５７の左側端壁との間にはプッシュ板ばね３０８が弾性的に連結され、前記プッシュ板１６５の右側端面には前後対称になるように設置される左側ヒンジ連結ロッド１５８がヒンジで連結され、前記挟み乾かし右空間１４０の中には前後対称になるように設置される右側ヒンジ連結ロッド３０１がヒンジで連結され、前記右側ヒンジ連結ロッド３０１と前記左側ヒンジ連結ロッド１５８とがヒンジで連結され、前記左側ヒンジ連結ロッド１５８と前記右側ヒンジ連結ロッド３０１との上にはいずれも小スライドブロック３０２がスライドできるように設置され、前記小スライドブロック３０２の前端にはいずれも連接棒１６０がヒンジで連結され、前記連接棒１６０の前端にはいずれも挟み乾かし板１６１がヒンジで連結され、前記挟み乾かし板１６１が前後対称になるように設置され、前後対称の前記挟み乾かし板１６１はクリーニングされた筆を挟んで乾かすことができ、水分を取り除く。
【００１５】
有益的に、前記クリーニング機構１２は前記伝動空間１７１の中に回転できるように設置される方向切換軸１１４を含み、前記方向切換軸１１４の頂端が前記右側スライドブロック空間１８１の中に挿入され、且つ前記方向切換軸１１４の末端には右側回転ブロック１７５が固定的に設置され、前記右側回転ブロック１７５と前記回転ホイール溝１７６とが対向するように設置され、前記伝動空間１７１の中に位置する前記方向切換軸１１４の外壁には第一扇状ギヤ１７２が円周方向になるように固定的に設置され、前記方向切換軸１１４の底端には前記底部中空間１１３の中に位置する第二傘歯車１１２が固定的に設置され、前記伝動空間１７１の右側端壁の中には左右に伸びているクリーニング軸１３８が回転できるように設置され、前記クリーニング軸１３８の右側の延伸部分が前記クリーニング空間１３９の中に挿入され、前記クリーニング空間１３９の中に位置する前記クリーニング軸１３８の外壁にはクリーニング軸スリーブ１２８が円周方向に固定的に設置され、前記クリーニング軸スリーブ１２８の頂部外壁にはブラシ１３７が固定的に設置され、前記クリーニング軸１３８の左側末端には前記伝動空間１７１の中に位置する第二扇状ギヤ１７２’が固定的に設置され、前記第二扇状ギヤ１７２’の右側端とねじりばね１７４とが固定的に連結され、前記ねじりばね１７４の右側端と前記伝動空間１７１の右側端壁とが固定的に連結される。
【００１６】
有益的に、前記動力機構１３は前記底部左空間１０７と前記底部右空間１１６との間に回転できるように設置される底部回転軸１１０を含み、前記底部回転軸１１０の左側末端と前記底部左空間１０７の左側端壁の中に固定的に植設される動力モーター１０９とが動力が伝達できるように連結され、前記底部左空間１０７の中に位置する前記底部回転軸１１０の外壁には前記第一傘歯車１０６と噛み合って設置される第三傘歯車１０８が円周方向に固定的に設置され、前記底部回転軸１１０の右側末端には底部右空間傘歯車１１５が固定的に設置され、前記底部中空間１１３の中に位置する前記底部回転軸１１０の外壁には第四傘歯車１１１が円周方向に固定的に設置され、前記第四傘歯車１１１と前記第二傘歯車１１２とが噛み合って設置され、前記底部右空間１１６の頂壁の中にはかき混ぜ軸１１８が回転できるように設置され、前記かき混ぜ軸１１８の底端には前記底部右空間傘歯車１１５と噛み合うかき混ぜの歯１１７が固定的に設置され、前記かき混ぜ軸１１８の頂端にはかき混ぜホイール１１９が固定的に設置され、前記かき混ぜホイール１１９の頂端にはかき混ぜ板１２３が固定的に設置される。
【００１７】
有益的に、前記昇降空間機構１４は前記昇降空間１３２の中にスライドできるように設置される筆挟みブロック１３４を含み、前記筆挟みブロック１３４の中には筆挟みスクリューロッド１３３が螺合し連結され、前記筆挟みスクリューロッド１３３の底端と前記昇降空間１３２の中に固定的に植設される筆挟みモーター１３１とが動力が伝達できるように連結され、前記筆挟みモーター１３１の後側端面にはゴムブロック空間１４１が設置され、前記ゴムブロック空間１４１の左右両側にはいずれも後側ギヤ空間１４６が設置され、前記後側ギヤ空間１４６と前記ゴムブロック空間１４１との間にはスクリューロッドスライドブロック１４３がスライドできるように設置され、前記スクリューロッドスライドブロック１４３の端部にはゴムブロック１４２が固定的に設置され、前記スクリューロッドスライドブロック１４３の中にはスクリューロッド１４４が螺合し連結され、前記スクリューロッド１４４には後側ギヤ１４５が固定的に連結され、前記後側ギヤ空間１４６の前後端壁には前後へ伸びているラック溝１５２が設置され、前記後側ギヤ空間１４６の前側にある前記筆挟みブロック１３４の中には前側ギヤ空間１４８が設置され、前記ラック溝１５２が前記前側ギヤ空間１４８を貫通し、前記ラック溝１５２の中にはラック１４７がスライドできるように設置され、前記ラック１４７と前記後側ギヤ１４５の底部とが噛み合って設置され、前記前側ギヤ空間１４８の右側端壁の中には治具モーター１５０が固定的に植設され、前記治具モーター１５０の左側端には動力軸１５１が動力が伝達できるように連結され、前記動力軸１５１の左側端には前記ラック１４７と噛み合って設置される前側ギヤ１４９が固定的に設置され、前記ラック溝１５２と、前記ラック１４７と、前記前側ギヤ１４９と、前記動力軸１５１と、前記後側ギヤ１４５と、前記スクリューロッド１４４と、前記ゴムブロック１４２と前記スクリューロッドスライドブロック１４３とがいずれも左右対称になるように設置される。
【００１８】
使用する時、はじめに、水を水出入り口１９９からクリーニング空間１３９の中に流し、筆をゴムブロック空間１４１の中にあるゴムブロック１４２の間に置き、それと同時に治具モーター１５０を始動し、動力軸１５１を回転させ、これにより前側ギヤ１４９を回転させ、それによってラック１４７を後ろへ移動させ、これにより後側ギヤ１４５を回転させ、それによってゴムブロック１４２を互いに近づかせて筆をきつく挟み、この時に筆挟みモーター１３１を始動し、筆挟みブロック１３４を下へ移動させ、その上で更に筆が前後対称の挟み乾かし板１６１を通り抜けてクリーニング空間１３９の中に挿入され、ブラシ１３７の上方に位置し、この時に動力モーター１０９を始動し、底部回転軸１１０を回転させ、更に底部右空間傘歯車１１５を連動させて回転させ、それによってかき混ぜ軸１１８を回転させ、更にかき混ぜホイール１１９を連動させて回転させ、それによって水をクリーニング空間１３９の中でかき回し、それと同時に、底部回転軸１１０が回転し、第四傘歯車１１１を連動させて回転させ、更に第ニ傘歯車１１２を連動させて回転させ、それによって方向切換軸１１４を回転させ、更に扇状ギヤ１７２を回転させ、更に扇状ギヤ１７２’を回転させ、それによってブラシ１３７により筆の底部を洗い、インクをきれいに洗い落とし、クリーニング完了した後、筆挟みモーター１３１を反転させ、更に筆挟みブロック１３４を上へ移動させ、絵筆の底端を前後対称の挟み乾かし板１６１の間に位置させ、この時、左側糸巻きギヤ１６７の後側にある小モーター１９８を始動することによって左側糸巻きギヤ１６７を回転させ、更に右側リール１８０を連動させ、それによって右側スライドブロック１７７を下へ移動させ、更に右側回転ブロック１７５と右側回転ホイール１９０とを噛み合わせ、この時に回転軸１１４が右側回転ブロック１７５を連動させて回転させ、更に右側スプライン軸１６６を連動させて回転させ、それによってカム１５９を回転させ、更にプッシュ板１６５に左右への往復運動を行わせ、それによって前後両側の挟み乾かし板１６１を繰り返して互いに近づかせて絵筆を挟んで乾かし、挟んで乾かした後に小モーター１９８を反転させて更に左側糸巻きギヤ１６７を連動させて反転させ、左側スライドブロック１０３を上へ移動させ、右側スライドブロック１７７が上へ移動し、それによって右側回転ホイール１９０を右側回転ブロック１７５から離れさせ、サムホイール３０５を溝車１６４と噛み合わせ、この時に底部回転軸１１０が第一傘歯車１０６を連動させて回転させ、更に左側回転軸１０５を連動させて回転させ、溝車１６４に間欠運動を行わせ、更に旋転軸１０１を回転させ、それによって筆挟みブロック１３４がゴムブロック１４２の間の絵筆を回転させ、絵筆が挟みブロック１５４の間にある挟み空間１５３の中に引っ掛かって連行される。
【００１９】
本発明有益な効果は：
【００２０】
本装置の旋転筆挟み機構は旋転軸の回転により、旋転ブロックを連動させて回転させ、それによってサポート板を回転させ、更に絵筆を挟みブロックの間に引っ掛からせ、それと同時に絵筆を筆挟み機構の外部に送り、筆乾燥機構がカムを通じてプッシュ板を連動させて左右に繰り返して運動させ、これにより挟み乾かし板が繰り返して絵筆の筆頭を挟んで乾かし、クリーニング機構はクリーニング軸の往復運動により、ブラシを連動させて往復運動させ、絵筆の底部を洗い、クリーニング効果がより良くなり、動力機構がクリーニング機構と、筆乾燥機構と、旋転筆挟み機構に動力を提供し、筆挟み機構は絵筆をゴムブロックによりきつく挟んで固定することができ、それから筆挟みスクリューロッドの回転により、筆挟みブロックを下へ移動させ、更に絵筆をクリーニング空間の中に挿入してクリーニングし、伝統的な手動のクリーニングと比べて、本装置は自動の機械によるクリーニングを実現でき、手動クリーニングする時に顔料が飛び散ることを回避でき、クリーニングする人の服が汚れないように保証でき、且つ本装置はクリーニング完了した後に自動的に絵筆をクリーニング空間から持ち出すことができ、絵筆をサポート板に掛け、次回の使用に便利である。
【００２１】
本発明の実施例を示し、且つ叙述したが、当業者にとって、本発明の原理と精神から離脱しない場合で、これらの実施例に各種の変化、修正、入れ替わりと変型を行ってもよく、本発明の範囲は添付した権利要求及び同質物に限定されない。
【手続補正３】
【補正対象書類名】図面
【補正対象項目名】図５
【補正方法】変更
【補正の内容】
【図５】
2020175634.tif 000008
【手続補正書】
【提出日】令和1年8月22日(2019.8.22)
【手続補正１】
【補正対象書類名】特許請求の範囲
【補正対象項目名】請求項４
【補正方法】変更
【補正の内容】
【請求項４】
前記動力機構は前記底部左空間と前記底部右空間との間に回転できるように設置される底部回転軸を含み、前記底部回転軸の左側末端と前記底部左空間の左側端壁の中に固定的に植設される動力モーターとが動力が伝達できるように連結され、前記底部左空間の中に位置する前記底部回転軸の外壁には前記第一傘歯車と噛み合って設置される第三傘歯車が円周方向に固定的に設置され、前記底部回転軸の右側末端には底部右空間傘歯車が固定的に設置され、前記底部中空間の中に位置する前記底部回転軸の外壁には第四傘歯車が円周方向に固定的に設置され、前記第四傘歯車と前記第二傘歯車とが噛み合って設置され、前記底部右空間の頂壁の中にはかき混ぜ軸が回転できるように設置され、前記かき混ぜ軸の底端には前記底部右空間傘歯車と噛み合うかき混ぜの歯が固定的に設置され、前記かき混ぜ軸の頂端にはかき混ぜホイールが固定的に設置され、前記かき混ぜホイールの頂端にはかき混ぜ板が固定的に設置されることを特徴とする請求項３に記載の絵筆クリーニング装置。